【事件の表示】
　特許第３２７４０１０号「電気掃除機用集塵紙袋」の請求項１、２に係る特許に対する特許異議の申立てについて、次のとおり決定する。
【結　論】
　訂正を認める。
　特許第３２７４０１０号の請求項１ないし２に係る特許を取り消す。
【理　由】
１．手続の経緯　
　特許第３２７４０１０号の請求項１〜２に係る発明は、平成５年１２月１６日に特許出願され、平成１４年２月１日にその特許権の設定登録がなされ、その後、酒井和義より特許異議の申立がなされ、取消の理由が通知され、その指定期間内である平成１５年８月２６日に訂正請求がなされたものである。
　　
２．訂正の適否についての判断
（１）訂正の内容
　ア．訂正事項ａ
　   特許請求の範囲の請求項１について、「外側折目位置が最上段と最下段の折目からずれた位置に設けられている」とあるのを「外側折目位置が最上段と最下段の折目からずれた
内側の
内側の
　イ．訂正事項ｂ
　　特許請求の範囲の請求項２について、「筒状厚紙」とあるのを「筒状
原
原
（２）訂正の目的の適否、新規事項の有無及び拡張・変更の存否
　　上記訂正事項ａは、外側折目位置を、最上段と最下段の折目からずれた内側に限定するものであり、外側折目位置を最上段と最下段の折目からずれた内側にすることは、願書に最初に添付された図面の、第２、４、５図に記載されているから、特許請求の範囲の減縮を目的とした明細書の訂正に該当する。また、上記訂正事項ｂは、請求項２以外には記載のない「厚紙」を、明細書記載の「原紙」に訂正するもので、誤記の訂正を目的とするものであり、いずれも願書に最初に添付した明細書又は図面に記載した事項の範囲内において行い、実質上特許請求の範囲を拡張し又は変更するものではない。
（３）むすび
　　したがって、上記訂正は、特許法第１２０条の４第３項において準用する平成６年法律第１１６号による改正前の特許法第１２６条第１項ただし書及び第２項の規定に適合するので、当該訂正を認める。
　　
３．特許異議申立てについての判断
（１）本件の請求項１、２に係る発明
　　上記２．で示したように上記訂正が認められるから、本件の請求項１に係る発明は 、上記訂正に係る訂正明細書の特許請求の範囲の請求項１に記載された次のとおりのものである。
　　「原紙の両端縁が貼り合わされ、側面に複数段のガセット折目が形成されるように筒状に折り畳まれ、この筒状の原紙の両端開口が折り返されて貼着密封され、かつ上面部に吸気口が備えられた集塵紙袋において、最上段と最下段の折目との間にあるガセットの外側折目位置が最上段と最下段の折目からずれた内側の位置に設けられているとともに、上記ガセットの内側折目位置が互いにずれた位置に設けられていることを特徴とする電気掃除機用集塵紙袋。」
　また、請求項２に係る発明は次のとおりのものである。
　　「前記ガセットの内側折目位置が筒状原紙の接合部の位置とずれた位置に設けられていることを特徴とする請求項１に記載の電気掃除機用集塵紙袋。」
　なお、請求項１、２に記載された「ガゼット」（新聞、官報を意味する）は、「まち」を意味する「ガセット」の誤記と認めて上記のように認定した。
　　
（２）引用刊行物に記載された発明
　　　当審で通知した取消の理由で引用した刊行物１（米国特許第３１０７９８９号明細書、以下、「引用例」という。）には、図面とともに以下のことが記載されている。
  イ．「素材２０は、真空掃除機用の使い捨て濾過袋の形成に一般的に利用されている可撓性多孔質紙の帯状体である。」（第２欄第３９〜４２行）
　ロ．「濾過袋４４の製作における第１ステップは、前記のパネル３４，３６を矢印４６，４８で示す如くに内方へ折り曲げて、後者パネル３６を前者３４の上に第２図に示す如く重ね合わす作業である。第２図に見られるように素材２０の横断方向端縁３２は他の端縁３０を越え、その左側に位置している。素材２０を、このような第２図図示の折り返し姿勢に保つべく、番号５０，５２で示すように端縁３０近傍のパネル３４の部分に耐水性接着剤を２条施与する。そして第２図のようにパネル３６をパネル３４の上に強固に接合するには、押圧その他の適宜手段を用いるべきことは明らかであろう。かくして第４図に最も明確に見られるように前記素材を折り曲げると、前記パネル４２が当該折り曲げ体の前壁ないし前側パネルとなり、重ね合わせた前記パネル３４，３６がその後壁となっている。この素材の長手方向における一方の側面は、２重プリーツ２６と中間パネル３８と３重プリーツ２２とで形成され、長手方向の他方の側面は、２重プリーツ２８と中間パネル４０と３重プリーツ２４とで形成されている。このように折り曲げられた素材の各長手方向側面においては、プリーツ２２，２４の頂点５２，５４は、それぞれ隣接したプリーツ２６，２８の頂点５６，５８よりも外側に位置している。即ち、第４図に明らかなように、プリーツ２２，２４は横方向において隣接プリーツ２６，２８よりも外側に突出している。」（第２欄第５８行〜第３欄第１５行）
　上記記載と第４図の記載から、プリーツ２２，２４の内側の折目位置と、プリーツ２６，２８の内側の折目位置が互いにずれた位置にあること、２重プリーツの下の段の外側折り曲げ位置が、３重プリーツの最下段の外側折り曲げ位置よりも内側にあること及びパネル３４とパネル３６の接合部の位置が、プリーツの内側折目位置とずれた位置にあることがわかる。また、最上段の折目位置が２重プリーツの下の段の外側折目位置とほぼ同じ位置にあることがわかる。
　ハ．「袋体完成品４４とするための折り畳み済み素材２０に対する最後の組立て工程ステップは第５〜８図に示すとおりである。これらの図面から明らかなように、折り畳み済み素材の上端部は、まず上端縁７０近傍の折り曲げ線８０のところで上向きに折り曲げる。次いで、折り曲げ線８２のところで下向きに折り曲げることにより、接着剤条６４と６６を相互に貼り付ける。このように折り曲げ準備したのち、さらに折り曲げ線８４に沿って当該部位を矢印９０のように下向き又は内方へ折り曲げると、第８図に示すように接着剤条６８と７２は相互に貼着し、折り曲げ線８０は折り曲げ線８４の内側に畳み込まれるので、折り曲げ線８０，８２，８４と相互に貼着した接着剤条６４，６６と同じく相互に貼着した接着剤条７２，６８とからなる３重のシール構造が現出するのであって、その際、前記の４接着剤条は全て相互に位置整合して唯１線をなすべく重なり合うことになる。このようにして形成される３重シール構造９２は、第９図に示す如く袋体完成品４４の底となる。他方、第５〜７図に示すように、折り畳み済み素材２０の下端部は、まず折り曲げ線８６のところで内向きに折り曲げることにより、第７図に示すように接着剤条７４と７６は相互に貼着する。そのあと折り曲げ線８８に沿って内向きに折り曲げると第８図に示すように接着剤条６０と７０は相互に貼着し、その結果現出する２重シール構造９４は、第９図に示す如く袋体完成品４４の頂部となる。」（第３欄第４６〜７２行）
　ニ．「真空掃除機に当該袋体を使用する場合のように、その前面ないし前側パネル４２には、空気流を進入させるための開口１００を設けておくことが望ましく、この開口は、真空掃除機の吸入部付属品ないし導管を取り付けるための手段を提供すべく、さらには当該袋体内部へのアクセスを可能とすべく、カラーないしフランジ１０２で取り囲んである。」（第４欄第９〜１６行）
　これらの記載事項及び図示内容から、引用例には、以下のとおりの発明が記載されていると認められる。
　 「可撓性多孔質紙の両端縁が貼り合わされ、側面に２重プリーツと３重プリーツが形成されるように筒状に折り畳まれ、その筒状の紙材の両端が折り曲げられて接着され、かつ、前面パネルに吸入開口を備えた真空掃除機用の袋体であって、プリーツの内側折目位置が互いにずれた位置に設けられており、最上段と最下段の折目との間にあるプリーツの外側折目位置が、最下段の折目からずれた内側の位置でかつ最上段とほぼ同じ位置に設けられたもの」（以下、「引用発明」という。）     
　　
（３）対比及び判断
　本件の請求項１に係る発明と引用発明を対比すると、引用発明の「可撓性多孔質紙」、「プリーツ」、「真空掃除機用の袋体」は、それぞれ本件請求項１に係る発明の「原紙」、「ガセット」、「電気掃除機用集塵紙袋」に相当し、引用発明における袋体の「前面」は、本件請求項１に係る発明の袋の上面を指しているから、両者は、
　「原紙の両端縁が貼り合わされ、側面に複数段のガセット折目が形成されるように筒状に折り畳まれ、この筒状の原紙の両端開口が折り返されて貼着密封され、かつ上面部に吸気口が備えられた集塵紙袋において、最上段と最下段の折目との間にあるガセットの外側折目位置が最下段の折目からずれた内側の位置に設けられているとともに、上記ガセットの内側折目位置が互いにずれた位置に設けられていることを特徴とする電気掃除機用集塵紙袋」 である点で一致し、
　前者において、最上段と最下段の折目との間にあるガセットの外側折目位置が、最上段の折目位置に対しても内側にあるのに対し、後者においては、最上段とほぼ同じ位置である点で相違する。
　しかしながら、電気掃除機用集塵紙袋の折目をずらして薄形化を図ることは当該技術分野において普通に採用されている技術手段（必要ならば米国特許第２７５１０４１号明細書、米国特許第３４５７７０７号明細書参照）であるから、ほぼ同じ位置にある折目を内側か外側かのどちらかに少しでもずらす程度のことは当業者であれば、必要に応じて容易になし得ることであり、内側にずらすか外側にずらすかによってその効果に格別の相違を生ずるものでもないから、中間のガセットの外側折目を最下段の折目位置だけでなく、最上段の折目位置に対しても内側に位置するようにすることは当業者が容易に想到しうるものである。
　したがって、本件請求項１に係る発明は、上記引用発明に基いて当業者が容易に発明をすることができたものである。
　また、本件請求項２に係る発明における限定事項も、上記引用例に開示されているから、本件請求項２に係る発明も上記引用発明に基いて当業者が容易に発明することができたものである。
　
（４）むすび
　以上のとおりであるから、本件請求項１ないし２に係る発明についての特許は特許法第２９条第２項の規定に違反してされたものである。
　したがって、本件請求項１ないし２に係る発明の特許は特許法第１１３条第２号に該当し、取り消されるべきものである。
  よって、結論のとおり審決する。
【異議決定日】
平成１５年９月１７日（２００３．９．１７）
【訂正の要旨】
審決（決定）の【理由】欄参照。
（５４）【発明の名称】
電気掃除機用集塵紙袋
（５７）【特許請求の範囲】
　【請求項１】原紙の両端縁が貼り合わされ、側面に複数段のガゼット折目が形成されるように筒状に折り畳まれ、この筒状の原紙の両端開口が折り返されて貼着密封され、かつ上面部に吸気口が備えられた集塵紙袋において、最上段と最下段の折目との間にあるガゼットの外側折目位置が最上段と最下段の折目からずれた
内側の
　【請求項２】前記ガゼットの内側折目位置が筒状
原
【発明の詳細な説明】
　【０００１】
　【産業上の利用分野】
　この発明は、扁平に折り畳まれた電気掃除機用集塵紙袋に関する。
　【０００２】
　【従来の技術】
　従来の電気掃除機用集塵紙袋は、一般に長方形の原紙の両端縁を貼り合せ、側面にガゼットが形成されるように筒状に折り畳み、この筒状の原紙の両端開口を数回折返して貼着密封し、かつ上面部に吸気口を具えている。
　【０００３】
　ガゼットの折目は、１段のみのものもあるが、一般には２〜３段の折目が形成され、その場合もこの折目位置は全て同じ位置に設けられている。
　【０００４】
　【発明が解決しようとする課題】
　しかしながら、上記ガゼットの折目の位置を複数段の折返しの際に同一位置に設けた場合、最終的に筒状体の両端を折り返して密封する際に、上記ガゼットの折目の折返線が上下に重なる。
　【０００５】
　このため、筒状体の両端の折返部が極めて厚くなり、ガゼット折返部と折返部の間の筒状体両端の折返部では薄くというように厚い部分と薄い部分ができ、両端折返部の接着が不完全となり、ピンホールができて密封性が悪くなるという問題がある。
　【０００６】
　この発明は、上述した従来の電気掃除機用集塵紙袋の問題点に留意して、複数段のガゼット折目を互に位置をずらして設け、筒状体の端部の折返しが部厚くならず完全に密封できるようにした集塵紙袋を提供することを課題とする。
　【０００７】
　【課題を解決するための手段】
　上記課題を解決する手段としてこの発明は、原紙の両端縁が貼り合わされ、側面に複数段のガゼット折目が形成されるように筒状に折り畳まれ、この筒状の原紙の両端開口が折り返されて貼着密封され、かつ上面部に吸気口が備えられた集塵紙袋において、最上段と最下段の折目との間にあるガゼットの外側折目位置が最上段と最下段の折目からずれた位置に設けられているとともに、上記ガゼットの内側折目位置が互いにずれた位置に設けられていることを特徴とする電気掃除機用集塵紙袋としたのである。
　【０００８】
　【作用】
　上記の構成としたこの発明の集塵紙袋は、従来のものと同様に電気掃除機本体内に装着して使用される。しかし、この集塵紙袋を作る際に、ガゼットの折目位置が幅方向に互にずらして設けられているから、筒状体端部を折り返して密封するときでも端部の折返しが部厚くならずなめらかに重ねられているため、折り返しの接着が完全に行われる。
　【０００９】
　又、上記のように、ガゼットの折目位置が幅方向に互にずらして設けられているからガゼットの折目回数を複数段としても集塵袋の厚みがかさばらず、又前記原紙の両端縁を貼り合わせする接合部の位置をガゼットの折目位置からずらして設ければさらに集塵袋の厚みがかさばらないようになる。
　【００１０】
　【実施例】
　以下この発明の実施例について図面を参照して説明する。図１は実施例の電気掃除機用集塵紙袋の製作途中の概略構造を示す外観図、図２はＢ−Ｂ矢視から見た断面図である。図示のように、この実施例の集塵紙袋は、原紙の左右の切断端を貼着して筒状体としたものが用いられる。１は上面部、２は下面部であり、Ｂ−Ｂ矢視に見えるように、原紙の両端縁が下面部２の適宜位置の接合部３で貼着される。上面部１の中央には周知の板紙部材４がこの板紙部材に設けられた吸気口と一致させて重ねられる上面部１の吸気口５の周辺に一体に貼着され、電気掃除機用本体内に取付けできるように形成されている。
　【００１１】
　形成された筒状体は左右にガゼット６が設けられ、扁平に折り畳まれている。７、７は筒状体の端部である。この場合、Ｂ−Ｂ矢視の断面図に示すように、ガゼット６の折返しは内側に２段、外側に１段であるが、特に各折返し毎に折目の位置が幅方向に対して互にずれて設けられている点が特徴である。この場合、上面部１と下面部２の側辺である最上段と最下段の折目との間にあるガゼット６の外側折目位置が最上段と最下段の折目からずれた位置に設けられている。
　【００１２】
　又上記ガゼット６の内側折目位置が互いにずれた位置になるようにずれて設けられている。内側折目位置は筒状体の接合部３の位置ともずれて設けられている。このように折目位置をずらして折り畳んだ後に、筒状体の端部７、７はさらに折られてホットメルト等の方法により貼り合わされ密封される（図３参照）。
　【００１３】
　上記のように構成した実施例の集塵紙袋は、従来の一般的なものと同様に電気掃除機本体内に装着して使用される。しかし、この実施例の集塵紙袋は、上述のように、ガゼットの折目位置が互にずれて設けられているから、筒状体の端部７を折り返して貼り合わせる際に、ガゼットの外側及び内側の折目が最上、下段と、あるいは互いに上下に重なることがなく、従って端部の折返しができる限りフラットな重なりとなり、この折返しの貼着が滑らかに完全に行われる。
　【００１４】
　図４は、上記実施例の矢視Ｂ−Ｂに相当する他の実施例の断面図である。この例では、ガゼットの折目がなす深い谷と浅い谷の部分が紙袋の上面部１と下面部２に対して上記実施例と反対に位置している点が異なる。このようにガゼットの折目位置は互いにずれていればよい。その他の点については第一実施例と同じである。
　【００１５】
　なお、上記実施例ではガゼットの折目段数は内側に２段のものを示しているが、内側に３段又はそれ以上であってもよいことは明らかであろう（図５参照）。又、紙袋の原紙は便宜上１枚のものを示しているが二重の原紙等であってもよいことは勿論である。
　【００１６】
　【効果】
　以上、詳細に説明したように、この発明の集塵紙袋はガゼットの外側及び内側の複数段の折目位置を互いにずらして設け、ガゼット部のそれぞれの折目の重合をさけることによって筒状そのもの及び筒状体端部の折り返しが厚くならず、フラットでなめらかな状態で接合され完全に密着されて製品が薄くなる為め、包装袋の節約と保管場所が少なくなってすむと言う利点が得られる。
【図面の簡単な説明】
　【図１】
　実施例の集塵紙袋の製造途中のものの斜視図
　【図２】
　同上の矢視Ｂ−Ｂから見た断面図
　【図３】
　同上の完成状態の斜視図
　【図４】
　変形実施例の矢視Ｂ−Ｂに相当する断面図
　【図５】
　他の変形実施例の矢視Ｂ−Ｂに相当する断面図
　【符号の説明】
　１　上面部
　２　下面部
　３　接合部
　４　板紙部材
　５　吸気口
　６　ガゼット
　７　端部